(57)【要約】【課題】溶融し易い粉体の詰まりを抑制し、粉体の回収性を良好に保つ。【解決手段】粉体処理部１２を有する処理装置１０の装置筐体１１に着脱可能に設けられ、粉体処理部１２から搬送された熱溶融性粉体が回収される一若しくは複数の回収口３を有すると共に、回収された粉体が収容可能な空間部を有する回収容器２と、回収容器２の収容空間部に対して区画された状態で形成され、気流生成手段１３にて生成された空気流Ａｆが通過する通気路５であって、回収容器２の長手方向に沿う方向に形成されると共に、空気流Ａｆを導入させる導入口６と、空気流Ａｆが流れる下流側に形成される通気口７と、を有する通気路５と、を備える。【選択図】図１
2018013755.tif 000002
【特許請求の範囲】
【請求項１】
粉体処理部を有する処理装置の装置筐体に着脱可能に設けられ、前記粉体処理部から搬送された熱溶融性粉体が回収される一若しくは複数の回収口を有すると共に、回収された粉体が収容可能な空間部を有する回収容器と、
前記回収容器の収容空間部に対して区画された状態で形成され、気流生成手段にて生成された空気流が通過する通気路であって、前記回収容器の長手方向に沿う方向に形成されると共に、前記空気流を導入させる導入口と、前記空気流が流れる下流側に形成される通気口と、を有する通気路と、を備えたことを特徴とする粉体回収装置。
【請求項２】
請求項１に記載の粉体回収装置において、
前記通気路は、前記回収口の少なくとも一部に沿って配置されることを特徴とする粉体回収装置。
【請求項３】
請求項１に記載の粉体回収装置において、
前記通気口は、前記粉体処理部側の空間に面して開口することを特徴とする粉体回収装置。
【請求項４】
請求項１に記載の粉体回収装置において、
前記通気路を構成する部材は、前記回収容器に対して着脱可能に装着されることを特徴とする粉体回収装置。
【請求項５】
請求項１に記載の粉体回収装置において、
前記通気路を構成する部材は、前記回収容器の外周壁に対して装着されることを特徴とする粉体回収装置。
【請求項６】
請求項１に記載の粉体回収装置において、
前記通気路は、前記回収容器の回収口の上方に配置されていることを特徴とする粉体回収装置。
【請求項７】
請求項１に記載の粉体回収装置において、
前記回収容器は、前記回収口よりも下方に回収された粉体を搬送する搬送部材を内蔵し、前記回収容器のうち前記搬送部材による粉体の搬送方向下流側の下方に排出口を有し、当該排出口から排出された粉体を別の廃棄用回収容器に収容することを特徴とする粉体回収装置。
【請求項８】
装置筐体内に設けられて粉体を用いて処理する一若しくは複数の粉体処理部と、
前記粉体処理部から搬送された粉体を回収する請求項１乃至７いずれかに記載の粉体回収装置と、を備えたことを特徴とする処理装置。
【請求項９】
請求項８に記載の処理装置において、
前記装置筐体の手前側の一方の隅部に設けられ、前記通気路の導入口に向かう空気流を生成する第１の気流生成手段と、前記装置筐体の背面側のうち前記第１の気流生成手段の配設位置とは対角線上に位置する隅部に設けられ、前記通気路の通気口から前記装置筐体の空間部に形成された空気流を前記装置筐体外に向けて排出する方向の空気流を生成する第２の気流生成手段と、を備えたことを特徴とする処理装置。
【請求項１０】
請求項８に記載の処理装置において、
前記装置筐体の手前側の一方の隅部に設けられて空気流を生成する気流生成手段と、
前記気流生成手段にて生成された空気流を上側に分岐させ、前記通気路の導入口に導く上側分岐配管と、
前記気流生成手段にて生成された空気流を下側に分岐させる下側分岐配管と、
前記装置筐体の前記粉体処理部よりも下方に設けられ、前記装置筐体の空間部に対して区画された状態で形成され、前記下側分岐配管につながる導入口を有すると共に、前記粉体処理部の下方空間部に面して開口する通気口を有する下側通気路と、を備えたことを特徴とする処理装置。
【請求項１１】
請求項８に記載の処理装置において、
前記粉体処理部は、静電潜像が保持可能な像保持体と、前記像保持体上に形成された静電潜像を粉体としての現像剤にて現像する現像装置と、前記現像装置にて現像された可視像を記録材に転写する転写装置と、前記像保持体上に残留した現像剤を清掃する清掃装置と、を備え、
前記粉体回収装置は、前記清掃装置、前記転写装置及び前記現像装置の少なくとも１つから搬送される粉体としての現像剤を回収することを特徴とする処理装置。
【請求項１２】
請求項１１に記載の処理装置において、
前記粉体回収装置は、少なくとも前記清掃装置から搬送される粉体としての現像剤を回収するものであり、
前記通気路の通気口は前記粉体処理部の清掃装置の上方若しくは側方空間又は現像装置の上方空間に面して設けられることを特徴とする処理装置。
【請求項１３】
請求項１１に記載の処理装置において、
前記転写装置は、前記像保持体上に保持された現像剤による可視像を記録材に転写する前に中間的に転写する中間転写体を有し、前記像保持体の上方に前記中間転写体を配設するものであり、
前記通気路の通気口は前記中間転写体の下方空間に面して設けられていることを特徴とする処理装置。
【発明の詳細な説明】
【技術分野】
【０００１】
本発明は、粉体回収装置及びこれを用いた処理装置に関する。
【背景技術】
【０００２】
従来、粉体を用いた処理装置において装置筐体内の環境を改善する技術としては例えば特許文献１，２に記載のものが既に知られている。
特許文献１には、感光体ユニットと露光装置とを備え、感光体ユニットと露光装置との間に光の経路を含む空間が形成された画像形成装置であって、着脱自在に装着されて、装着された状態では空間の開口端を塞ぐ着脱部材を備え、この着脱部材には露光装置側から感光体ユニット側に通じる第１空気流路を形成した画像形成装置が開示されている。
特許文献２には、加熱定着手段通過後のシートから発散される水分による結露に対し選択的に動作可能な結露対策手段と、当該装置内の結露の発生の有無を判別する結露条件判別手段と、結露条件判別手段による判別結果を告知する告知手段と、結露対策手段を動作可能にするか否かを手動操作にて選択する選択手段とを備える画像形成装置が開示されている。
【先行技術文献】
【特許文献】
【０００３】
【特許文献１】特開２０１５−０７５７４４号公報（発明を実施するための形態，図４）
【特許文献２】特開２００７−２３２９６２号公報（発明を実施するための最良の形態，図１）
【発明の概要】
【発明が解決しようとする課題】
【０００４】
本発明が解決しようとする技術的課題は、溶融し易い粉体の詰まりを抑制し、粉体の回収性を良好に保つことにある。
【課題を解決するための手段】
【０００５】
請求項１に係る発明は、粉体処理部を有する処理装置の装置筐体に着脱可能に設けられ、前記粉体処理部から搬送された熱溶融性粉体が回収される一若しくは複数の回収口を有すると共に、回収された粉体が収容可能な空間部を有する回収容器と、前記回収容器の収容空間部に対して区画された状態で形成され、気流生成手段にて生成された空気流が通過する通気路であって、前記回収容器の長手方向に沿う方向に形成されると共に、前記空気流を導入させる導入口と、前記空気流が流れる下流側に形成される通気口と、を有する通気路と、を備えたことを特徴とする粉体回収装置である。
【０００６】
請求項２に係る発明は、請求項１に係る粉体回収装置において、前記通気路は、前記回収口の少なくとも一部に沿って配置されることを特徴とする粉体回収装置である。
請求項３に係る発明は、請求項１に係る粉体回収装置において、前記通気口は、前記粉体処理部側の空間に面して開口することを特徴とする粉体回収装置である。
請求項４に係る発明は、請求項１に係る粉体回収装置において、前記通気路を構成する部材は、前記回収容器に対して着脱可能に装着されることを特徴とする粉体回収装置である。
請求項５に係る発明は、請求項１に係る粉体回収装置において、前記通気路を構成する部材は、前記回収容器の外周壁に対して装着されることを特徴とする粉体回収装置である。
請求項６に係る発明は、請求項１に係る粉体回収装置において、前記通気路は、前記回収容器の回収口の上方に配置されていることを特徴とする粉体回収装置である。
請求項７に係る発明は、請求項１に係る粉体回収装置において、前記回収容器は、前記回収口よりも下方に回収された粉体を搬送する搬送部材を内蔵し、前記回収容器のうち前記搬送部材による粉体の搬送方向下流側の下方に排出口を有し、当該排出口から排出された粉体を別の廃棄用回収容器に収容することを特徴とする粉体回収装置である。
【０００７】
請求項８に係る発明は、装置筐体内に設けられて粉体を用いて処理する一若しくは複数の粉体処理部と、前記粉体処理部から搬送された粉体を回収する請求項１乃至７いずれかに係る粉体回収装置と、を備えたことを特徴とする処理装置である。
請求項９に係る発明は、請求項８に係る処理装置において、前記装置筐体の手前側の一方の隅部に設けられ、前記通気路の導入口に向かう空気流を生成する第１の気流生成手段と、前記装置筐体の背面側のうち前記第１の気流生成手段の配設位置とは対角線上に位置する隅部に設けられ、前記通気路の通気口から前記装置筐体の空間部に形成された空気流を前記装置筐体外に向けて排出する方向の空気流を生成する第２の気流生成手段と、を備えたことを特徴とする処理装置である。
請求項１０に係る発明は、請求項８に係る処理装置において、前記装置筐体の手前側の一方の隅部に設けられて空気流を生成する気流生成手段と、前記気流生成手段にて生成された空気流を上側に分岐させ、前記通気路の導入口に導く上側分岐配管と、前記気流生成手段にて生成された空気流を下側に分岐させる下側分岐配管と、前記装置筐体の前記粉体処理部よりも下方に設けられ、前記装置筐体の空間部に対して区画された状態で形成され、前記下側分岐配管につながる導入口を有すると共に、前記粉体処理部の下方空間部に面して開口する通気口を有する下側通気路と、を備えたことを特徴とする処理装置である。
請求項１１に係る発明は、請求項８に係る処理装置において、前記粉体処理部は、静電潜像が保持可能な像保持体と、前記像保持体上に形成された静電潜像を粉体としての現像剤にて現像する現像装置と、前記現像装置にて現像された可視像を記録材に転写する転写装置と、前記像保持体上に残留した現像剤を清掃する清掃装置と、を備え、前記粉体回収装置は、前記清掃装置、前記転写装置及び前記現像装置の少なくとも１つから搬送される粉体としての現像剤を回収することを特徴とする処理装置である。
請求項１２に係る発明は、請求項１１に係る処理装置において、前記粉体回収装置は、少なくとも前記清掃装置から搬送される粉体としての現像剤を回収するものであり、前記通気路の通気口は前記粉体処理部の清掃装置の上方若しくは側方空間又は現像装置の上方空間に面して設けられることを特徴とする処理装置である。
請求項１３に係る発明は、請求項１１に係る処理装置において、前記転写装置は、前記像保持体上に保持された現像剤による可視像を記録材に転写する前に中間的に転写する中間転写体を有し、前記像保持体の上方に前記中間転写体を配設するものであり、前記通気路の通気口は前記中間転写体の下方空間に面して設けられていることを特徴とする処理装置である。
【発明の効果】
【０００８】
請求項１に係る発明によれば、溶融し易い粉体の詰まりを抑制し、粉体の回収性を良好に保つことができる。
請求項２に係る発明によれば、回収容器の回収口付近を効率的に冷却することができる。
請求項３に係る発明によれば、粉体処理部周辺に向けて空気流を容易に生成することができる。
請求項４に係る発明によれば、回収容器に対して通気路を構成する部材を必要に応じて付加することができる。
請求項５に係る発明によれば、回収容器の内蔵部品とは無関係に回収容器の任意の箇所に通気路を構成する部材を装着することができる。
請求項６に係る発明によれば、通気路を流れる空気流により、通気部材により下方に位置する回収容器の回収口付近を効率的に冷却することができる。
請求項７に係る発明によれば、溶融し易い粉体の詰まりを抑制し、廃棄用回収容器に向けて回収した粉体を搬送することができる。
請求項８に係る発明によれば、溶融し易い粉体の詰まりを抑制し、粉体の回収性を良好に保つことが可能な粉体回収装置を含む処理装置を提供することができる。
請求項９に係る発明によれば、装置筐体内の空間部に設置された粉体処理部周辺に向かう空気流を安定的に生成することができる。
請求項１０に係る発明によれば、装置筐体内の空間部に設置された粉体処理部周辺に向かう空気流を上下に分岐させた状態で生成することができる。
請求項１１に係る発明によれば、溶融し易い粉体としての現像剤の詰まりを抑制し、現像剤の回収性を良好に保つことが可能な粉体回収装置を含む処理装置を提供することができる。
請求項１２に係る発明によれば、清掃装置内で粉体回収装置に向けて現像剤を搬送する搬送部材を効率的に冷却でき、現像装置周辺に浮遊するクラウドを効率的に除去することができる。
請求項１３に係る発明によれば、中間転写体が像保持体の上方に配設される中間転写型の画像形成装置において、粉体処理部周辺に対して適切な空気流を容易に生成することができる。
【図面の簡単な説明】
【０００９】
【図１】（ａ）は本発明が適用された処理装置の実施の形態の概要を示す平面説明図、（ｂ）は（ａ）中Ｂ方向から見た矢視図、（ｃ）は（ａ）中Ｃ方向から見た矢視図である。
【図２】実施の形態１に係る処理装置としての画像形成装置の全体構成を示す説明図である。
【図３】実施の形態１に係る画像形成装置をユーザの操作側（手前側）から見た矢視図である。
【図４】図３に示す現像剤回収系の要部を示す説明図である。
【図５】図４から現像剤搬送ユニットを取り除いた状態を示す説明図である。
【図６】図３に示す現像剤回収系の現像剤の流れを示す説明図である。
【図７】図３に示す現像剤搬送ユニットの内部構造を示す説明図である。
【図８】実施の形態１で用いられる現像剤搬送ユニットの通気構造例を示す説明図である。
【図９】図８に示す現像剤搬送ユニットから通気ダクトを取り外した状態を示す説明図である。
【図１０】図９に示す通気ダクトをＸ方向から見た矢視図である。
【図１１】実施の形態１に係る画像形成装置で用いられる通気ダクトのレイアウトを示す説明図である。
【図１２】図１１の要部を示す説明図である。
【図１３】図８に示す現像剤搬送ユニットをＸＩＩＩ方向から見た矢視図である。
【図１４】実施の形態１で用いられる通気ダクトの通気口と各画像形成部との相対位置関係を示す説明図である。
【図１５】実施の形態１で用いられる通気ダクトの空気流を示す説明図である。
【発明を実施するための形態】
【００１０】
◎実施の形態の概要
本実施の形態において、粉体を用いた処理装置１０は、図１（ａ）に示すように、装置筐体１１内に設けられて粉体を用いて処理する一若しくは複数の粉体処理部１２（本例では１２ａ〜１２ｄ）と、粉体処理部１２から搬送された粉体を回収する粉体回収装置１と、を備えたものである。
ここで、処理装置１０は粉体を用いて処理する粉体処理部１２（例えば粉体として現像剤を用いて静電潜像を可視像化する作像部など）を有するものであれば適宜選定して差し支えない。
【００１１】
特に、本実施の形態では、粉体回収装置１は、図１（ａ）〜（ｃ）に示すように、粉体処理部１２を有する処理装置１０の装置筐体１１の手前側に着脱可能に設けられ、粉体処理部１２から搬送された熱溶融性粉体が回収される一若しくは複数の回収口３を有すると共に、回収された粉体が収容可能な空間部を有する回収容器２と、回収容器２の収容空間部に対して区画された状態で形成され、気流生成手段１３にて生成された空気流Ａｆが通過する通気路５であって、回収容器２の長手方向に沿う方向に形成されると共に、空気流Ａｆを導入させる導入口６と、空気流Ａｆが流れる下流側に形成される通気口７と、を有する通気路５と、を備えたものである。
【００１２】
このような技術的手段において、回収容器２は一若しくは複数の回収口３を有し、装置筐体１１の手前側の予め決められた箇所に着脱可能に装着されるものを広く含む。ここでいう着脱構成は被案内部に沿って引出可能で、予め決められた設置箇所にて保持する態様や、例えば下側を揺動支点として予め決められた設置箇所にて保持する態様が挙げられる。
また、回収容器２は、粉体処理部１２から搬送されてくる熱溶融性粉体（例えばトナー等の作像粉体）を回収対象とするものであればよく、回収された粉体をそのまま貯留する態様でもよいし、回収された粉体を更に別の回収容器に搬送する態様のいずれをも含む。
更に、通気路５は、回収容器２の空間部に対して区画された状態で形成されていればよく、回収容器２の外周壁、内周壁のいずれに設けてもよく、回収容器２に対して一体的な構成でもよいし、別体のものを装着するようにしてもよい。また、通気路５を構成する部材は通気路５に沿って空気流Ａｆを通す必要があり、気流生成手段１３（ファン、ブロワ）にて生成された空気流Ａｆが通気路５を通るように導入口６を設けるようにすればよい。また、空気流Ａｆが流れる下流側には一若しくは複数の通気口７を設けるようにすればよい。尚、気流生成手段１３は通気路５内に空気を供給する態様が主として用いられるが、通気路５内の空気を排出する態様として用いることも可能である。
【００１３】
次に、本実施の形態に係る粉体処理装置の代表的態様又は好ましい態様について説明する。
先ず、通気路５の好ましい態様としては、回収容器２の回収口３に沿って配置されている態様が挙げられる。本例では、回収口３に搬送されてきた熱溶融性粉体を冷却することで、溶融し易い粉体の詰まりを抑制することが可能である。但し、複数の回収口３を有する態様にあっては、通気路５は全ての回収口３に沿って配置される態様が好ましいが、少なくとも一部の回収口３に沿って配置されていればよい。
また、通気口７の好ましい態様としては、装置筐体１１内の粉体処理部１２側の空間に面して開口する態様が挙げられる。本例では、通気口７から粉体処理部１２周辺に向けて空気流Ａｆが生成され、粉体処理部１２周辺の空間部環境の汚れが抑えられる。
更に、通気路５を構成する部材の好ましい態様としては、回収容器２に対して着脱可能に装着される態様が挙げられる。本例は、回収容器２に対して通気路５を構成する部材を着脱する構成であるため、回収容器２に対して通気機能を必要に応じて付加することが可能である。
また、通気路５を構成する部材の他の好ましい態様としては、回収容器２の外周壁に対して装着される態様が挙げられる。本例は、回収容器２内に組み込まれる内蔵部品のレイアウト等を考慮することなく、回収容器２の外周壁の任意の箇所に通気路５を構成する部材を装着することが可能である。
更に、通気路５の別の好ましい態様としては、回収容器２の回収口３の上方に配置されている態様が挙げられる。本例は、回収容器２の回収口３の上方に通気路５を配置した態様であるため、通気路５を流れる空気流Ａｆにより通気路５より下方に位置する回収口３付近が冷却される。
また、回収容器２の代表的態様としては、回収口３よりも下方に回収された粉体を搬送する搬送部材４を内蔵し、回収容器２のうち搬送部材４による粉体の搬送方向下流側の下方に排出口（図示せず）を有し、当該排出口から排出された粉体を別の廃棄用回収容器１７に収容する態様が挙げられる。本例は、粉体処理部１２から回収した粉体を搬送して別の廃棄用回収容器１７に排出する態様で、通気路５を備えた回収容器２を廃棄用とせず、回収した粉体の搬送用として使用する。
【００１４】
また、処理装置１０の代表的態様としては、装置筐体１１の手前側の一方の隅部に設けられ、通気路５の導入口６に向かう空気流Ａｆを生成する第１の気流生成手段（気流生成手段１３に相当）と、装置筐体１１の背面側のうち第１の気流生成手段１３の配設位置とは対角線上に位置する隅部に設けられ、通気路５の通気口７から装置筐体１１の空間部に形成された空気流Ａｆを装置筐体１１外に向けて排出する方向の空気流を生成する第２の気流生成手段１４と、を備えた態様が挙げられる。本例は、装置筐体１１内に第１の気流生成手段１３と第２の気流生成手段１４とを具備させ、粉体回収装置１の通気路５から導入された空気流Ａｆを装置筐体１１内の空間部に導き、粉体処理部１２側へと流すようにした態様である。このとき、第１の気流生成手段１３と第２の気流生成手段１４とを対角線上の位置に配置することで、装置筐体１１の空間部全域に空気流Ａｆを生成することが可能である。
【００１５】
更に、処理装置１０の好ましい態様としては、図１（ｃ）に示すように、装置筐体１１の手前側の一方の隅部に設けられて空気流を生成する気流生成手段１３と、気流生成手段１３にて生成された空気流Ａｆを上側に分岐させ、通気路５の導入口６に導く上側分岐配管（図示せず）と、気流生成手段１３にて生成された空気流Ａｆを下側に分岐させる下側分岐配管（図示せず）と、装置筐体１１の粉体処理部１２よりも下方に設けられ、装置筐体１１の空間部に対して区画された状態で形成され、下側分岐配管につながる導入口１８ａを有すると共に、粉体処理部１２の下方空間部に面して開口する通気口１８ｂを有する下側通気路１８と、を備えた態様が挙げられる。本例は、気流生成手段１３にて生成される空気流Ａｆを上下に分岐させ、上側に分岐させた空気流を粉体回収装置１の通気路５を介して装置筐体１１内の空間部に上側空気流として導き、下側に分岐させた空気流を下側通気路１８を介して装置筐体１１内の空間部に下側空気流として導く態様である。
【００１６】
また、粉体としての現像剤を用いた処理装置１０である画像形成装置に適用する場合には、粉体処理部１２は、静電潜像が保持可能な像保持体１５と、像保持体１５上に形成された静電潜像を粉体としての現像剤にて現像する現像装置（図示せず）と、現像装置にて現像された可視像を記録材に転写する転写装置１６と、像保持体１５上に残留した現像剤を清掃する清掃装置（図示せず）と、を備え、粉体回収装置１は、清掃装置、転写装置１６及び現像装置の少なくとも１つから搬送される粉体としての現像剤を回収するようにすればよい。
本例では、清掃装置については清掃した現像剤を回収対象にする。また、転写装置１６については、例えば中間転写型の転写装置であれば、中間転写体１６ｍの清掃装置で清掃された現像剤を回収対象とし、また、直接転写型の転写装置１６であっても、転写部材に清掃装置を付加することで当該清掃装置にて清掃された現像剤を回収対象とする。更に、現像装置については、例えばトナー及びキャリアを含む二成分現像剤であれば、トナーは消費されるものの、キャリアは消費されないため、現像剤自体が古くなると、帯電特性などが不良になる懸念あり、古くなった現像剤を回収対象とする。
【００１７】
また、粉体として現像剤を用いた処理装置１０である画像形成装置の代表的態様としては、粉体回収装置１は、少なくとも清掃装置から搬送される粉体としての現像剤を回収するものであり、通気路５の通気口７は粉体処理部１２の清掃装置の上方若しくは側方空間又は現像装置の上方空間に面して設けられる態様が挙げられる。
清掃装置は通常清掃した現像剤を粉体回収装置１へ向けて搬送する搬送部材を有している。現像装置は現像剤としてトナーを使用するため、その周辺にはトナークラウドが発生し易い。本例では、通気路５の通気口７が清掃装置の上方若しくは側方空間に面して設けられるため、清掃装置周辺を流れる空気流Ａｆによって粉体回収装置１に向けて現像剤を搬送する搬送部材を冷却し、搬送部材への現像剤の付着が抑制される。また、通気路５の通気口７が現像装置の上方空間に面して配置されているため、現像装置周辺にトナークラウドが浮遊したとしても、現像装置周辺を流れる空気流Ａｆがトナークラウドを吹き飛ばして図示外のフィルタ等に捕捉することが可能である。
【００１８】
また、この種の画像形成装置の他の代表的態様としては、転写装置１６は、像保持体１５上に保持された現像剤による可視像を記録材Ｓに転写する前に中間的に転写する中間転写体１６ｍを有し、像保持体１５の上方に中間転写体１６ｍを配設するものであり、通気路５の通気口７は中間転写体１６ｍの下方空間に面して設けられている態様が挙げられる。本例は、中間転写型の画像形成装置のうち、像保持体１５の上方に中間転写体１６ｍを配設した態様では、粉体回収装置１の通気路５の通気口７は中間転写体１６ｍの下方空間に面して設けられ、現像装置からのトナークラウドが浮遊したとしても、トナークラウドが中間転写体１６ｍに付着することなく、通気路５からの通気口７からの空気流Ａｆによって吹き飛ばされる。
【００１９】
以下、添付図面に示す実施の形態に基づいて本発明をより詳細に説明する。
◎実施の形態１
図２は実施の形態１に係る粉体処理装置としての画像形成装置の全体構成を示す斜視図である。
同図において、画像形成装置２０は画像形成要素を内蔵する装置筐体２１を有し、画像形成要素には、記録材に画像を形成する作像要素と、図示しない記録材に形成すべき原稿画像を読み取る画像読取要素（図示せず）とを含む。
本実施の形態では、作像要素は、複数の色成分画像を電子写真方式にて形成する画像形成部３０（具体的には３０ａ〜３０ｄ）と、この画像形成部３０にて形成された画像を記録材に転写する前に一時的に転写する例えばベルト状の中間転写体４０と、この中間転写体４０上に転写された各色成分画像を記録材に転写する一括転写装置５０とを備え、画像形成部３０の下方に配設した記録材供給装置６０から供給された記録材を略鉛直方向に延びる搬送経路６１中の搬送ロール６２によって搬送し、一括転写装置５０の転写部位にて記録材に対し中間転写体４０上の画像を一括転写し、搬送経路６１の下流側に設けられた定着装置７０にて記録材上の画像を定着し、記録材収容部２４の直前に配設された排出ロール６３にて後述する記録材収容部２４内に記録材を排出するようにしたものである。
【００２０】
ここで、画像形成部３０（３０ａ〜３０ｄ）は、例えばドラム状の感光体３１と、この感光体３１を帯電する帯電器３２と、帯電された感光体３１上に光による静電潜像を書き込む例えばＬＥＤプリントヘッド等の書込ヘッドからなる露光器３３と、感光体３１上に形成された静電潜像を所定の色成分トナーにて現像する現像器３４と、感光体３１上の現像像を中間転写体４０に転写させる 転写器３５と、感光体３１上の残留トナーを清掃する清掃器３６とを備えている。
尚、符号３８（３８ａ〜３８ｄ）は各画像形成部３０の現像器３４に各色成分トナーを補給するためのトナーカートリッジである。
更に、現像器３４はトナー及びキャリアを含む二成分現像剤を用いた構成のものが使用されている。勿論、キャリアを含まない一成分現像剤を用いてもよいことは勿論である。
【００２１】
また、本実施の形態において、中間転写体４０は複数の張架ロール４１〜４４に掛け渡され、例えば張架ロール４１を駆動ロールとして循環回転するものである。尚、符号４５は中間転写体４０の搬送方向のうち一括転写装置５０の下流側に設けられて中間転写体４０上の残留トナーを清掃する中間転写体用清掃器である。
更に、一括転写装置５０は例えば中間転写体４０の張架ロール４２を対向ロールとし、対向ロールとの間で中間転写体４０を挟む一括転写ロール５１を有し、この一括転写ロール５１と張架ロール４２からなる対向ロールとの間に転写電圧印加に伴う転写電界を形成するようにしたものである。
【００２２】
−現像剤回収系−
本実施の形態では、図３乃至図５に示すように、装置筐体２１のユーザの操作側（手前側）に位置するフロントカバー２１ａを開放すると、装置筐体２１内には画像形成部３０にて使用された粉体としての現像剤（本例では使用済みの廃トナーや廃現像剤）を回収する現像剤回収系が組み込まれている。本例の現像剤回収系は、画像形成部３０や中間転写体４０から排出される現像剤を回収して搬送する現像剤搬送ユニット１００と、この現像剤搬送ユニット１００にて搬送される現像剤を回収して廃棄する現像剤回収ボックス２００と、を備えている。
【００２３】
−現像剤搬送ユニット−
本実施の形態において、現像剤搬送ユニット１００は、装置筐体２１の手前側に手前側から奥側に向かって略直線軌跡に沿って着脱可能になっており、予め決められたセット位置にて装着されるようになっている。そして、本例では、現像剤搬送ユニット１００に回収される現像剤は以下の３系統から排出されるものを対象とする。
（１）各画像形成部３０（３０ａ〜３０ｄ）の清掃器３６は感光体３１上に残留する現像剤（廃トナー）を清掃するが、清掃された廃トナーは清掃器３６の内部の搬送部材にて清掃容器の一端から排出され、図５乃至図７に示すように、廃トナー排出部９０（具体的には９０ａ〜９０ｄ）を経由して現像剤搬送ユニット１００へと回収される。
（２）中間転写体用清掃器４５は中間転写体４０に残留した現像剤（廃トナー）を清掃するが、清掃された廃トナーは中間転写体用清掃器４５の内部の搬送部材にて清掃容器の一端から排出され、図５乃至図７に示すように、廃トナー排出部９１を経由して現像剤搬送ユニット１００へと回収される。
（３）各画像形成部３０（３０ａ〜３０ｄ）の現像器３４は現像容器内に現像ロールを配設すると共に、現像容器内には現像剤を撹拌混合しながら帯電する例えば複数の撹拌搬送部材を配設するものであるが、現像剤のキャリアは消費されずに残るため、現像剤のキャリアが古くなると、現像剤の帯電特性に支障をきたす懸念がある。このため、本例では、古い現像剤（廃現像剤）は定期的に現像容器から外部へ廃棄された後、図５乃至図７に示すように、廃現像剤排出部９２（具体的には９２ａ〜９２ｄ）を経由して現像剤搬送ユニット１００へと回収される。
【００２４】
＜現像剤搬送ユニットの構成＞
本実施の形態において、現像剤搬送ユニット１００は、図３乃至図８に示すように、略中空直方体状の回収容器１１０を有しており、この回収容器１１０内には回収された現像剤が搬送可能な搬送ダクト１２０を設置すると共に、この搬送ダクト１２０内には例えば回転軸１３１の周囲に螺旋状羽根１３２を一体的に設けてなる搬送部材１３０を配設し、回収された現像剤を搬送して現像剤回収ボックス２００へと回収するものである。
＜回収口及び排出口＞
本例では、回収容器１１０には、図６及び図７に示すように、各画像形成部３０の清掃器３６の廃トナー排出部９０を接続可能な回収口１１１が開設されると共に、この回収口１１１と搬送ダクト１２０との間には接続ダクト１１２が設けられている。また、回収容器１１０には、中間転写体用清掃器４５の廃トナー排出部９１を接続可能な回収口１１４が開設されると共に、この回収口１１４と搬送ダクト１２０との間には接続ダクト１１５が設けられている。更に、回収容器１１０には、各画像形成部３０の現像器３４の廃現像剤排出部９２を接続可能な回収口１１７が開設されると共に、この回収口１１７に対応する搬送ダクト１２０には廃現像剤排出部９２の排出口に接続可能な接続口１１８が設けられている。
更に、本実施の形態では、搬送ダクト１２０のうち現像剤の搬送方向下流側には下方に向かって開口する排出口１２１が開設されており、この排出口１２１を開閉するシャッタ機構（図示せず）が設けられている。
このように、本例では、現像剤搬送ユニット１００は、画像形成部３０や中間転写体４０からの使用済みの現像剤が回収容器１１０内に回収された後に、搬送ダクト１２０内に落下し、しかる後、搬送ダクト１２０内の搬送部材１３０によって現像剤を搬送し、排出口１２１から現像剤回収ボックス２００へ現像剤を回収するようにしたものである。
【００２５】
＜現像剤回収ボックス＞
本実施の形態において、現像剤回収ボックス２００は、図３乃至図６に示すように、現像剤搬送ユニット１００の回収容器１１０の排出口１２１に対応した下方に配設されており、回収容器１１０と略直交する方向に交差して延びる略中空直方体状の回収容器２１０を有しており、この回収容器２１０には、現像剤搬送ユニット１００がセット位置に装着されたときに、現像剤搬送ユニット１００の排出口１２１に接続可能な接続ダクト２１１が設けられ、この接続ダクト２１１の接続口２１２が排出口１２１と接続するように配置される。更に、本例では、回収容器２１０内には回収容器２１０の長尺な方向に沿って現像剤を撹拌搬送する搬送部材２２０が設けられている。尚、本例の搬送部材２２０は例えば回転軸２２１の周囲に螺旋状羽根２２２が一体的に形成された態様のものが用いられるが、撹拌搬送する機能部材であれば適宜選定して差し支えない。
【００２６】
−現像剤搬送ユニットの通気構造−
本実施の形態では、装置筐体２１の手前側の一方の隅部２１ｃ（図３参照）には気流生成用の第１のファン１４１（図１５参照）が設置されると共に、装置筐体２１の背面側の一方の隅部（本例では第１のファン１４１の設置位置に対して対角線の位置の隅部）には第２のファン（図示せず）が設置されている。ここで、第１のファン１４１は装置筐体２１内の空間部に向けて空気を供給する方向の気流を生成するものであり、第２のファンは装置筐体２１外に向けて空気を排出する方向の気流を生成するものであり、本例では第２のファンによる気流生成領域の一部にトナー等の粉体を除去するためのフィルタ（図示せず）が設置されている。
そして、本実施の形態では、現像剤搬送ユニット１００は、図８乃至図１０に示すように、回収容器１１０のうち装置筐体２１内の空間部に面した側の外周壁（内側外周壁）に通気ダクト１５０が着脱可能に装着されている。
【００２７】
＜通気ダクトの構成＞
本実施の形態において、通気ダクト１５０は、回収容器１１０の内側外周壁の上部領域にて当該回収容器１１０の長手方向（搬送部材１３０の軸方向に沿う方向）に延びる長尺部材として構成されており、通気ダクト１５０のうち第１のファン１４１が設置されている側の端部には第１のファン１４１からの空気流が導入可能な導入口１５１を有すると共に、この導入口１５１付近には断面略矩形状の筒状部１５２を有し、更に、この筒状部１５２以外の領域には断面略Ｕ字状のチャンネル部１５３を有するものである。従って、本例では、通気ダクト１５０は、筒状部１５２内に導入口１５１につながる通気路１５４を確保し、更に、筒状部１５２以外の部分ではチャンネル部１５３と回収容器１１０の内側外周壁との間に通気路１５４を形成するようになっている。
更に、通気ダクト１５０のチャンネル部１５３のうち対構成の腕部分の下側に位置する箇所には下方側に張り出す張出部１５５が複数形成され、各張出部１５５にはチャンネル部１５３の腕部分の突出方向に向かって貫通する凹溝１５６が形成され、この凹溝１５６のうちチャンネル部１５３の腕部分間の連結部寄りの端部開口が通気口１５７として機能するようになっている。
尚、本実施の形態では、図１５に示すように、第１のファン１４１の近傍には上側に向かって分岐する上側分岐配管１４２が設けられ、この上側分岐配管１４２が通気ダクト１５０の導入口１５１に接続されるようになっている。また、図８、図９中、符号１３５は現像剤搬送ユニット１００を着脱する際に把持する把持部、符号１３６は装置筐体２１に保持されるためのフック部である。
【００２８】
＜通気ダクトの取付構造＞
また、通気ダクト１５０は、その長手方向の下側及び上側には略Ｌ字状の複数の取付片１６１（本例では下側取付片４つ、上側取付片３つ）が設けられ、各取付片１６１は弾性変形可能な板材で構成され、夫々引っ掛け孔１６２を有している。
一方、通気ダクト１５０が取り付けられる回収容器１１０の外周壁には通気ダクト１５０の各取付片１６１に対応して夫々取付孔１６３が形成され、各取付孔１６３内には各取付片１６１の引っ掛け孔１６２に引っ掛け可能な引っ掛け段部（図示せず）が形成されている。尚、通気ダクト１５０の長手方向の両端付近には夫々位置決め片１６５が設けられ、この位置決め片１６５に位置決め孔１６６が開設される一方、回収容器１１０の外周壁には通気ダクト１５０の位置決め孔１６６に対応して位置決めピン１６７が予め設けられている。
今、図９に示すように、回収容器１１０に対して通気ダクト１５０を装着する場合には、回収容器１１０の二つの位置決めピン１６７に通気ダクト１５０の位置決め孔１６６を通すように位置合わせし、しかる後、通気ダクト１５０を回収容器１１０側に押し付けるようにすればよい。この状態において、通気ダクト１５０の各取付片１６１は回収容器１１０の取付孔１６３に挿入され、スナップフィット作用にて各取付片１６１の引っ掛け孔１６２に図示外の引っ掛け段部が引っ掛かることで各取付片１６１が取付孔１６３に取付けられる。
尚、回収容器１１０から通気ダクト１５０を取り外す場合には通気ダクト１５０の長手方向両端付近を持ち、回収容器１１０から引き離すようにすればよく、スナップフィットの解除作用にて取付片１６１と取付孔１６３との間の引っ掛かり状態が解除され、回収容器１１０から通気ダクト１５０が離脱される。
【００２９】
＜通気ダクト及び通気口の配置例＞
本実施の形態では、現像剤搬送ユニット１００の回収容器１１０には、清掃器３６の廃トナー排出部９０が接続可能な回収口１１１、中間転写体用清掃器４５の廃トナー排出部９１が接続可能な回収口１１４及び現像器３４の廃現像剤排出部９２が接続可能な回収口１１７が設けられているが、本例では、清掃器３６から排出される廃トナーは、中間転写体用清掃器４５から排出される廃トナーや現像器３４から排出される廃現像剤中の廃トナーに比べてトナー密度が高くなるため、必然的に廃トナーが溶融し易い。
このため、本実施の形態では、通気ダクト１５０は、図８に示すように、清掃器３６の廃トナー排出部９０が接続可能な回収口１１１（本例では４つ）に沿って配置されているため、通気ダクト１５０を流れる空気流Ａｆが回収口１１１付近を冷却する。
また、本実施の形態では、通気ダクト１５０は回収容器１１０の空間部とは区画された通気路１５４を備えているため、通気路１５４内の空気流Ａｆが回収容器１１０の空間部内に流れ込むことはなく、回収容器１１０内に回収された廃トナーや廃現像剤が空気流Ａｆによって吹き飛ばされることはない。
【００３０】
また、本実施の形態では、通気ダクト１５０の通気口１５７は５つ設けられており、図９乃至図１４に示すように、装置筐体２１内の各画像形成部３０（３０ａ〜３０ｄ）に面して配置されている。
特に、各通気口１５７は、図１１乃至図１５に示すように、清掃器３６の上方空間若しくは側方空間又は現像器３４の上方空間に面して配置されており、また、中間転写体４０の下方空間に面して配置されている。
このため、本実施の形態では、第１のファン１４１から生成された空気流Ａｆは、図１５に矢印で示すように、上側分岐配管１４２を経て通気ダクト１５０の導入口１５１から通気路１５４内を流れ、更に、通気口１５７を経て各画像形成部３０（３０ａ〜３０ｄ）側へと流れ込んでいく。
【００３１】
このとき、通気口１５７は清掃器３６の上方空間又は側方空間に面して配置されているため、通気口１５７から装置筐体２１内に吹き出される空気流Ａｆは廃トナー排出部９０内の搬送部材周辺を冷却する。
また、通気口１５７は現像器３４の上方空間に面して配置されているため、現像器３４の周辺にトナークラウドが生じたとしても、通気口１５７から吹き出された空気流Ａｆはトナークラウドを所定の方向に向けて吹き飛ばす。更に、本例では、第２のファン（図示せず）が排気方向の気流を生成するため、所定方向に吹き飛ばされたトナークラウドは第２のファンによる空気流Ａｆに受け渡される。この状態において、空気流Ａｆが通る軌跡の途中にはフィルタが設置されているため、トナークラウドはフィルタに効率的に捕捉される。
更に、本例では、通気口１５７は中間転写体４０の下方空間に面して配置されるため、通気口１５７から吹き出される空気流Ａｆは、中間転写体４０の表面に沿って装置筐体２１の手前側から背面側へと流れ、中間転写体４０表面にトナークラウドや塵埃が付着するという懸念は少ない。特に隣接する画像形成部３０間では、通気口１５７から吹き出された空気流Ａｆは、中間転写体４０、隣接する画像形成部３０の現像器３４及び清掃器３６で囲まれた通路空間に沿って装置筐体２１の手前側から背面側に向かって集中的に流れる。
【００３２】
−装置筐体の下部通気構造−
本実施の形態では、装置筐体２１の下部には各画像形成部３０（３０ａ〜３０ｄ）を下方から冷却する下部通気構造が設けられている。
この下部通気構造は、図１５に示すように、第１のファン１４１の近傍に下側に向かって分岐する下側分岐配管１４３が設けられ、この下側分岐配管１４３には現像剤搬送ユニット１００の通気ダクト１５０とは別に下側通気ダクト（図示せず）が接続されるようになっている。尚、下側通気ダクトには、下側分岐配管１４３に通ずる図示外の導入口が形成されると共に、各画像形成部３０の下部空間に面して図示外の通気口が開設されている。
【００３３】
本実施の形態によれば、第１のファン１４１からの空気流Ａｆを下側分岐配管１４３を通じて図示外の下側通気ダクト内に導き、各画像形成部３０（３０ａ〜３０ｄ）に向けて吹き出すようにしたものである。
本例では、図示外の下側通気ダクトの通気口からの空気流Ａｆは画像形成部３０の現像器３４、清掃器３６、あるいは、露光器３３に吹き付けられ、これらを冷却する作用を奏する。例えば現像器３４では図示外の層厚規制部材が現像ロールに接触した場合に、層厚規制部材の摩耗により多くの熱が発生するが、下側通気ダクトからの空気流Ａｆを吹き付ける点で層厚規制部材の摩耗による発熱は有効に抑えられる。また、清掃器３６について廃トナーの搬送部材が摩耗により発熱したり、露光器３３が発熱したとしても、下方側からの空気流Ａｆにて発熱は有効に抑えられる。
【００３４】
−画像形成部、中間転写体の保守作業−
また、画像形成部３０（３０ａ〜３０ｄ）の例えば感光体３１、現像器３４や中間転写体４０を保守する場合には、装置筐体２１の手前に設置されている現像剤搬送ユニット１００を取外した後に、画像形成部３０や中間転写体４０を手前から取り外して保守作業を行うようにすればよい。このとき、現像剤搬送ユニット１００には通気ダクト１５０が組み付けられているため、通気ダクト１５０を含んだまま現像剤搬送ユニット１００を取り外すようにすれば、通気ダクト１５０をいちいち取り外す作業は不要である。
【符号の説明】
【００３５】
１…粉体回収装置，２…回収容器，３…回収口，４…搬送部材，５…通気路，６…導入口，７…通気口，１０…処理装置，１１…装置筐体，１２（１２ａ〜１２ｄ）…粉体処理部，１３…気流生成手段（第１の気流生成手段），１４…第２の気流生成手段，１５…像保持体，１６…転写装置，１６ｍ…中間転写体，１７…廃棄用回収容器，１８…下側通気路，１８ａ…導入口，１８ｂ…通気口，Ａｆ…空気流，Ｓ…記録材
【図１】
2018013755.tif 000003
【図２】
2018013755.tif 000004
【図３】
2018013755.tif 000005
【図４】
2018013755.tif 000006
【図５】
2018013755.tif 000007
【図６】
2018013755.tif 000008
【図７】
2018013755.tif 000009
【図８】
2018013755.tif 000010
【図９】
2018013755.tif 000011
【図１０】
2018013755.tif 000012
【図１１】
2018013755.tif 000013
【図１２】
2018013755.tif 000014
【図１３】
2018013755.tif 000015
【図１４】
2018013755.tif 000016
【図１５】
2018013755.tif 000017